(57)【要約】【課題】  天井板支持具内へ差し込まれる天井板の位置合わせを簡易かつ確実にし、天井板支持具内の換気通路を確保できる技術を提供することにある。【解決手段】  支持具本体４０は、壁面９０と接する背板部４１に取付孔４２，４２，…を備える。その背板部４１に、帯体６１の両端６２，６２に突起体６６，６６を連設させたコ字形の突起部材６０を組み合わせ、突起部材６０の突起体６６，６６はそれぞれ取付孔４２，４２を挿通し、取付孔４２，４２から突出した状態となる。この突起体６６，６６が、支持具本体４０に差し込まれた天井板９１の側面９３と当接することで、天井板９１の位置合わせがなされ、天井板支持具４０内の換気通路５０を確保できる。【選択図】  図２      
2005105611.tif 000002
【特許請求の範囲】
【請求項１】
壁面に取り付けられた支持具本体で換気可能に天井板を支持する天井板支持構造であって、
支持具本体は、壁面と接する背板部に取付孔を備え、
その取付孔から支持具本体内に突起体が突出し、支持具本体に差し込まれた天井板の側面と当接することを特徴とする天井板支持構造。
【請求項２】
複数の突起体を帯体に連設させた突起部材を背板部の壁面側から組み合わせ、突起体を取付孔から突出させたことを特徴とする請求項１記載の天井板支持構造。
【請求項３】
突起部材は、帯体の両端に突起体を連設させ、コ字形であることを特徴とする請求項２記載の天井板支持構造。
【請求項４】
帯体に連設された突起体は、その先端を帯体側に折曲したＶ字形とし、
その折曲された先端が背板部の反壁面側に当接することを特徴とする請求項２又は３記載の天井板支持構造。
【請求項５】
取付孔を形成するためにＵ字形又はエ字形に切り抜かれた切抜片を折曲して突起体としたことを特徴とする請求項１記載の天井板支持構造。
【請求項６】
断面Ｌ字形に形成された屈曲部材の一片を背板部の壁面側から組み合わせ、他の一片を取付孔から突出させて突起体としたことを特徴とする請求項１記載の天井板支持構造。
【請求項７】
取付孔から二つ折りされた板部材の先端を突出させて突起体とし、相対する板部材の二片それぞれに凹部を形成させ、この凹部を取付孔の縁に係合させることを特徴とする請求項１記載の天井板支持構造。
【発明の詳細な説明】
【技術分野】
【０００１】
本発明は、壁面に取り付けられた支持具本体で換気可能に天井板を支持する天井板支持構造に関するものである。
【背景技術】
【０００２】
従来よりある天井板の支持構造を図１２に示す。
上面２と下面３にそれぞれスリット上の換気孔４，５の設けられた略Ｇ字形の天井板支持具１を、壁面（図示せず）に取り付ける。そして、この天井板支持具１に天井板８を差し込み、天井板８の一端部９を支持するものである。
【０００３】
このとき、上面２と下面３に設けられた換気孔４，５によって形成される換気通路６を確保する必要がある。このため、天井板８は、天井板支持具１内の奥まで差し込まず、図示するような換気通路６手前に位置合わせされている。この天井板８の位置合わせは、施工者が目視によって行っているのが現状である。
【０００４】
これに対して、特許文献１には、軒天ランナー１７（天井板支持具）内にスペーサー２９を嵌め込んで軒天面材差込溝１４を浅くし、隙間３２（換気通路）を確保する技術が開示されている（明細書段落番号０００７、図３他）。
【０００５】
【特許文献１】実開平５−３２５３１号公報
【発明の開示】
【発明が解決しようとする課題】
【０００６】
しかし、この特許文献１の構造では、次のような課題がある。
（１）一旦スペーサー２９を軒天ランナー１７（天井板支持具）内に嵌め込み、その後、    スペーサー２９の上から釘１２を打ち込んで外壁に取り付ける一連の作業は、狭いス    ペーサー２９内で現実的には困難であり、施工上の問題がある。
（２）スペーサー２９による固定強度の低下、すなわち、スペーサー２９の取り付けが作    業の煩雑さにより不完全となり、その場合に軒天ランナー１７（天井板支持具）の外    壁への留め付けがガタついたり、外れやすくなるなどの設備管理上の問題がある。
（３）また、スペーサー２９が大きいために、軒天ランナー１７（天井板支持具）の通気    性能を低下させたり、スペーサー２９部分にはスリット１８を形成できないために、    同様に軒天ランナー１７（天井板支持具）の通気性能を低下させるなどの性能上の問    題がある。
【０００７】
そこで本発明は、特許文献１とは異なる構造で、天井板支持具内へ差し込まれる天井板の位置合わせを簡易かつ確実にし、天井板支持具内の換気通路を確保できる技術を提供することを目的とする。
【課題を解決するための手段】
【０００８】
上記目的を達成するために、第一の発明は、壁面に取り付けられた支持具本体で換気可能に天井板を支持する天井板支持構造であって、支持具本体は、壁面と接する背板部に取付孔を備え、その取付孔から支持具本体内に突起体が突出し、支持具本体に差し込まれた天井板の側面と当接することを特徴とするものである。
支持具本体内の突起体が、支持具本体に差し込まれた天井板の側面と当接することで、支持具本体内における天井板の位置を決定し、天井板の位置合わせがなされたことになる。
【０００９】
第二の発明は、複数の突起体を帯体に連設させた突起部材を背板部の壁面側から組み合わせ、突起体を取付孔から突出させたことを特徴とするものである。
「複数の突起体」とは、次の第三の発明のように、帯体の両端に連設された２つの突起体だけではなく、３つ以上の突起体が帯体に連設される場合も含まれる。
また、第三の発明は、突起部材が、帯体の両端に突起体を連設させ、コ字形であることを特徴とするものである。
さらに、第四の発明は、帯体に連設された突起体が、その先端を帯体側に折曲したＶ字形とし、その折曲された先端が背板部の反壁面側に当接することを特徴とするものである。
【００１０】
第五の発明は、取付孔を形成するためにＵ字形又はエ字形に切り抜かれた切抜片を折曲して突起体としたことを特徴とするものである。
「Ｕ字形又はエ字形」とは、切り抜かれた切抜片の一部が背板部と繋がっている形状を意味する。従って、コ字形やＶ字形なども含まれる。なお、背板部と繋がっている切抜片の一部を折曲することで、その切抜片が突起体となる。
【００１１】
第六の発明は、断面Ｌ字形に形成された屈曲部材の一片を背板部の壁面側から組み合わせ、他の一片を取付孔から突出させて突起体としたことを特徴とするものである。
また、第七の発明は、取付孔から二つ折りされた板部材の先端を突出させて突起体とし、相対する板部材の二片それぞれに凹部を形成させ、この凹部を取付孔の縁に係合させることを特徴とするものである。
【発明の効果】
【００１２】
本発明によれば、以下の効果を奏する。
（１）差し込まれた天井板の側面と支持具本体内の突起体とが当接することで、天井板の    位置合わせを簡易かつ確実に行うことができる。
（２）天井板の取り付けにばらつきが少なくなって換気通路を確保でき、安定した換気が    できるようになる。そして、建物自体の耐久性も向上する。
（３）目視によらず天井板の位置合わせを行えるので、施工時間を大幅に短縮できる。
【発明を実施するための最良の形態】
【００１３】
本発明の実施形態を図面に基づいて説明する。
図１〜図３は、第一の実施形態を示す。
図１に示すように、支持具本体４０は、壁面（図示せず）と接する背板部４１に、取付孔４２，４２，…を備える。また、背板部４１の上端からは壁面とは反対方向前方に延びながら先端４７をやや下方へ折曲させ、スリット状の換気孔４８，４８，…を有する上面部４６を備える。
【００１４】
さらに、背板部４１の下端からは、上面部４６と同様に壁面とは反対方向前方に延びながら、スリット状の換気孔５３，５３，…を有する下面部５１を備える。
この下面５１の先端５２は上方へ折曲し、さらに、支持具本体４０内へ折れ曲がり、下面部５１と平行な天井板支持部５６を備える。天井板支持部５６は、支持具本体４０へ差し込まれた天井板（図示せず）を下方から支持するものである。
【００１５】
一方、この支持具本体４０に対して、背板部４１の壁面側から組み合わせる突起部材６０がある。
突起部材６０は、帯体６１の両端６２，６２に突起体６６，６６を連設させたコ字形をしている。帯体６１には接着材６３を備え、支持具本体４０に組み合わされた突起部材６０は壁面側の背板部４１に貼り付けられ、支持具本体４０に固定される。突起部材６０の突起体６６，６６はそれぞれ取付孔４２，４２を挿通し、取付孔４２，４２から突出した状態となる。
【００１６】
図２は、実際に天井板９１を支持している状態を示す一部切欠斜視図であり、図３は、同断面図である。
図２及び図３に示すように、支持具本体４０は、取付孔４２を介してビス９５を外壁９４及び下地９６に挿通し、壁面９０に取り付けられている。そして、支持具本体４０に差し込まれた天井板９１は、その一端部９２が支持具本体４０の天井板支持部５６によって下方から支持されるとともに、その側面９３が取付孔４２，４２から突出する突起体６６，６６と当接する。これによって、天井板９１の位置合わせが確実となり、支持具本体４０上面４６の換気孔４８，４８，…と下面５１の換気孔５３，５３，…とによって形成される換気通路５０を確保できる。
【００１７】
なお、図示省略するが、支持具本体４０内には、熱膨張する発泡材を取り付けておき、火災時に熱風によりその発泡材を膨張させ、換気通路５０を閉塞させる防火対策を施してもよい（次の第二の実施形態以降についても同様である）。
【００１８】
図４〜図６は第二の実施形態を示す。なお、第一の実施形態と同じものについては、同一の符号を付す。
第二の実施形態の支持具本体４０は、第一実施形態と同様であるので、その説明を省略する。
【００１９】
図４に示すように、第二の実施形態の突起部材７０は、帯体７１の両端７２，７２に突起体７６，７６を連設させているが、この突起体７６はその先端７７を帯体７１側に折曲し、Ｖ字形となっている。
【００２０】
図５は、実際に天井板９１を支持している状態を示す一部切欠斜視図であり、図６は、同断面図である。
図５及び図６に示すように、支持具本体４０に組み合わされた突起部材７０は、突起体７６，７６がそれぞれ取付孔４２，４２を挿通し、取付孔４２，４２から突出した状態となる。さらに、帯体７１の両端７２，７２より内側に位置する突起体７６，７６の先端７７，７７が、背板部４１の反壁面９０側に当接し、突起部材７０が支持具本体４０に固定された状態となる。
【００２１】
そして、第一の実施形態と同様、支持具本体４０に差し込まれた天井板９１は、その一端部９２が支持具本体４０の天井板支持部５６によって下方から支持されるとともに、その側面９３が取付孔４２，４２から突出する突起体７６，７６と当接する。これによって、天井板９１の位置合わせが確実となり、支持具本体４０上面４６の換気孔４８，４８，…と下面５１の換気孔５３，５３，…とによって形成される換気通路５０を確保できる。
【００２２】
図７は、第三の実施形態を示す一部切欠斜視図である。なお、第一の実施形態や第二の実施形態と同じものについては、同一の符号を付す。
第三の実施形態では、取付孔４２から突出する突起体４９は、取付孔４２を形成するためにＵ字形に切り抜かれた切抜片４３を折曲したものである。
【００２３】
これによっても、第一の実施形態や第二の実施形態と同様、支持具本体４０に差し込まれた天井板９１は、その一端部９２が支持具本体４０の天井板支持部５６によって下方から支持されるとともに、その側面９３が取付孔４２から突出する突起体４９と当接する。これによって、天井板９１の位置合わせが確実となり、支持具本体４０上面４６の換気孔４８，４８，…と下面５１の換気孔５３，５３，…とによって形成される換気通路５０を確保できる。
また、図示省略するが、取付孔４２を形成するために、エ字形に切り抜いて、１つの取付孔から２つの突起体４９，４９を突出させてもよい。
【００２４】
図８及び図９は、第四の実施形態を示す。なお、第一から第三の実施形態と同じものについては、同一の符号を付す。
第四の実施形態では、図８に示すように、断面Ｌ字形に形成された屈曲部材８０の一片８１を背板部４１の壁面側からカシメ等によって組み合わせる。そして、他の一片８２を取付孔４２から突出させて突起体８３としたものである。
【００２５】
これによっても、第一から第三の実施形態と同様、支持具本体４０に差し込まれた天井板９１は、その一端部９２が支持具本体４０の天井板支持部５６によって下方から支持されるとともに、その側面９３が取付孔４２から突出する突起体８３と当接する（図９を参照）。これによって、天井板９１の位置合わせが確実となり、支持具本体４０上面４６の換気孔４８，４８，…と下面５１の換気孔５３，５３，…とによって形成される換気通路５０を確保できる。
【００２６】
図１０及び図１１は、第五の実施形態を示す。なお、第一から第四の実施形態と同じものについては、同一の符号を付す。
第五の実施形態では、図１０に示すように、取付孔４２から二つ折りされた板部材８５の先端８６を突出させて突起体８７とする。また、相対する板部材８５の二片８８，８８それぞれに凹部８９，８９を形成させ、この凹部８９，８９を取付孔４２の縁に係合させることで、この板部材８５が取付孔４２に固定される。板部材８５は、バネ性のある板ばね等が好ましいが、これに限るものではない。
【００２７】
これによっても、第一から第四の実施形態と同様、支持具本体４０に差し込まれた天井板９１は、その一端部９２が支持具本体４０の天井板支持部５６によって下方から支持されるとともに、その側面９３が取付孔４２から突出する突起体８７と当接する（図１１を参照）。これによって、天井板９１の位置合わせが確実となり、支持具本体４０上面４６の換気孔４８，４８，…と下面５１の換気孔５３，５３，…とによって形成される換気通路５０を確保できる。
【産業上の利用可能性】
【００２８】
本発明による天井板支持構造は、軒裏の天井板支持の他、様々な場所に施工される天井板を支持するための構造として広く利用できるものである。
【図面の簡単な説明】
【００２９】
【図１】第一の実施形態を示す説明図。
【図２】第一の実施形態を示す一部切欠斜視図。
【図３】第一の実施形態を示す断面図。
【図４】第二の実施形態を示す説明図。
【図５】第二の実施形態を示す一部切欠斜視図。
【図６】第二の実施形態を示す断面図。
【図７】第三の実施形態を示す一部切欠斜視図。
【図８】第四の実施形態を示す説明図。
【図９】第四の実施形態を示す一部切欠斜視図。
【図１０】第五の実施形態を示す説明図。
【図１１】第五の実施形態を示す断面図。
【図１２】従来の技術を示す斜視図。
【符号の説明】
【００３０】
１    天井板支持具
２    上面
３    下面
４，５    換気孔
６    換気通路
８    天井板
９    一端部
４０    支持具本体
４１    背板部
４２    取付孔
４３    切抜片
４６    上面部
４７    先端
４８    換気孔
４９    突起体
５０    換気通路
５１    下面部
５２    先端
５３    換気孔
５６    天井板支持部
６０    突起部材
６１    帯体
６２    両端
６３    接着材
６６    突起体
７０    突起部材
７１    帯体
７２    両端
７６    突起体
７７    先端
８０    屈曲部材
８１，８２    一片
８３    突起体
８５    板部材
８６    先端
８７    突起体
８８    一片
８９    凹部
９０    壁面
９１    天井板
９２    裏面
９３    側面
９４    外壁
９５    ビス
９６    下地
【図１】
2005105611.tif 000003
【図２】
2005105611.tif 000004
【図３】
2005105611.tif 000005
【図４】
2005105611.tif 000006
【図５】
2005105611.tif 000007
【図６】
2005105611.tif 000008
【図７】
2005105611.tif 000009
【図８】
2005105611.tif 000010
【図９】
2005105611.tif 000011
【図１０】
2005105611.tif 000012
【図１１】
2005105611.tif 000013
【図１２】
2005105611.tif 000014